(57)【要約】【課題】  設置、撤去が容易にでき、使用後の閉傘時において、防水シートの汚れた面が内側になる傘状の骨組構造を有するエアコン用洗浄シートを提供する。【解決手段】  下ロクロ３の上昇によって、中棒１の上方に親骨４、及び、受骨５が集束して閉傘し、下ロクロ３の下降によって開傘する。【選択図】    図１
2007010303.tif 000002
【特許請求の範囲】
【請求項１】
傘状の骨組構造を有して、中棒の上方に集束して閉傘された骨組が、下ロクロの下降によって拡開して開傘し、下ロクロの上昇によって閉傘することを特徴とするエアコン用洗浄シート。
【発明の詳細な説明】
【技術分野】
【０００１】  本発明は、エアコンの洗浄作業に使用される器具に係り、特に、エアコンの天井カセット型室内機に設置される熱交換用フィンを洗浄する際に使用され、洗浄液及び洗浄廃液の飛沫が周囲に飛散するのを防止するとともに洗浄廃液を集めてバケツ等に回収する洗浄シートに関するものである。
【背景技術】
【０００２】  従来、エアコンの天井カセット型室内機の洗浄作業時に使用する洗浄シートは、逆四角垂形状の防水シートを室内機の下に吊り下げるタイプがほとんどである。この洗浄シートを取付ける際には脚立を利用し、洗浄用シートの四隅を天井、或いは、エアコン取付枠に止めなければならず、手間がかかる難点があった。さらに、何台も連続して洗浄する場合には、洗浄シートの設置、撤去の繰り返しが非常に面倒な作業でもあった。【０００３】  前述の問題を解決する手段として、傘状の骨組構造を有し、設置及び撤去が容易にできる洗浄シートの発明が知られている（特許文献１参照）。
【特許文献１】特公開２０００−３１０４３０号公報
【発明の開示】
【発明が解決しようとする課題】
【０００４】  上記、傘状の骨組構造を有するエアコン用洗浄シートは、傘を開閉するが如くに洗浄シートを開閉でき、逆四角錐形状の開傘状態で専用スタンドに起立させるだけで洗浄シートの設置が完了する極めて便利なものであるが、次のような不都合な面があった。【０００５】  （イ）使用後の上記洗浄シートは、閉傘状態において傘布に相当する防水シートは汚れ        た面が外側になり、撤去や移動、或いは、収納時に周辺及び作業員の衣服を汚す        懸念があった。
（ロ）上記洗浄シートの骨組構造は、傘の骨組構造と同等であるために、閉傘状態から        開傘状態にするためには、片方の手で中棒の下端を握り、他方の手で下ロクロを        上方へ摺動させて開く構造のため、中棒の長さは親骨より長くする必要があり、        この中棒の長さが稀に不都合を引き起こす事例があった。例えば、エアコンの室        内機の下に机が置かれている場合など、机上に専用スタンドを据置いて起立させ        た伸縮自在の外側排水パイプに、洗浄シートの中棒を連接させるだけの空間が取        れないと云う不都合があった。
【課題を解決するための手段】
【０００６】  本発明は、前述の問題点を解決したエアコン用洗浄シートを提供するものであり、その手段として構成したところは、中空の排水パイプを兼ねた中棒の上端に固定した上ロクロと、該上ロクロに基端部を枢着し、先端部に露先を設けた所定本数（例えば４本）の親骨と、該上ロクロの下方に位置して前記中棒に摺動自在に外挿された下ロクロと、該下ロクロに基端部を枢着し、先端部を前記親骨の長手方向中途位置に枢結具を介して枢結された受骨を備え、前記親骨の上面に防水シートを張設して成り、開傘時には中棒の上方位置に防水シートが逆四角錐形状に開く以上の構成は、従来の傘状の骨組構造を有したエアコン用洗浄シートと同様である。【０００７】  通常、傘の骨組構造における上ロクロと下ロクロの関係は、傘を開く場合には、下ロクロを上ロクロに近づく方向（上昇）に摺動させることによって、下ロクロに基端部が枢着され、先端部が親骨に枢結された受骨が親骨を押し上げて傘が開く。傘を閉じる場合には、下ロクロを上ロクロから遠ざかる方向（下降）に摺動させることによって、受骨が親骨を引き下げて閉じる構造である。使用後における閉傘時の態様は、中棒と傘骨を内側にして傘布で包み込む状態で閉じ、傘布の濡れた面が外側になる。【０００８】  前述した課題を解決する手段として本発明が構成したところは、下ロクロを上ロクロから遠ざかる方向（下降）に摺動させることによって、受骨が親骨を引き下げて傘が開き、下ロクロを上ロクロに近づく方向（上昇）に摺動させることによって、受骨が親骨を押し上げて傘が閉じるように構成して成る点にあり、使用後における閉傘時の態様は、中棒の上方位置に傘骨で傘布を挟み込む状態で閉じ、傘布の濡れた面が内側になって中棒と傘骨は傘布の外側になる。このような構成によって、中棒の長さを極端に短くすることが可能となり、専用スタンドに起立された排水パイプを兼ねた支柱の先端部に、傘部分を挿脱自在に構成されている。以上を特徴とするエアコン用洗浄シートである。
【発明の効果】
【０００９】  このような構成によって、専用スタンドの設置面と天井との距離が近い状況においても対応することができる。更に、閉傘状態における防水シートは、使用後の汚れた面が内側になって傘が閉じられて、撤去時や移動時において、作業現場周辺や作業員の衣服を汚すと云う前述した課題が解決されたエアコン用洗浄シートである。
【発明を実施するための最良の形態】
【００１０】  以下、本発明の実施の形態について説明する。
図１は、閉傘時における骨組構造を示しており、前後位置の骨組は省略してある。
（イ）中空の中棒１の上端に中空の上ロクロ２を固定し、該上ロクロ２の下方に位置して      中棒１に摺動自在に外挿された下ロクロ３を備え、該下ロクロ３の受骨が枢着され      る案内溝３ａが形成されている鍔部３ｂは、上ロクロ２の鍔部２ｂより一回り大き      く形成されている。
（ロ）基端部４ａを上ロクロ２に枢着された親骨４と、基端部５ａを下ロクロ３に枢着さ      れると共に先端部５ｂを親骨４の長手方向中途位置に枢結具６を介して枢結された      受骨５を備えている。
（ハ）親骨４及び受骨５は、それぞれ上ロクロ２及び下ロクロ３から放射方向（開傘時）      に延びるように所定本数（例えば４本）が設けられており、親骨４の上には防水シ      ート７が張設され、上ロクロ２と防水シート７との接着部には排水口８が開口され      ており、防水シート７の縁部は、親骨４の先端部４ｂに設けられた露先９と固着さ      れて、親骨４の先端部４ｂに挿脱自在に外挿されているとともに、親骨４の枢結具      ６近傍部に縫着されている。
（ニ）中棒１の下方中途位置にストッパー１０が環装されており、開傘時には下ロクロ３      が下方へ摺動され、ストッパー１０にて最適の位置で停止する。【００１１】  図２は、開傘時の骨組構造を示したもので、下ロクロ３を下降させるにつれて、親骨４は、受骨５を介して引き下げられて拡開するが、親骨４の先端部４ｂ（図示せず）の拡開は、隣り合う露先９、９（図示せず）間の防水シート縁部の所定の長さで停止し、さらに、下ロクロ３を下降させることで、親骨４に受骨５を枢結した部位が引き下げられて親骨４が湾曲し、親骨４が湾曲することによって防水シート７全体が緊張する。
本発明は以上のような構成で、使用時には、図３に示す伸縮自在の排水パイプを兼ねた支柱１１の先端部に、中棒１の下方はストッパー１０の位置まで挿入されて支柱１１と連接され、専用スタンドに起立される。
【図面の簡単な説明】
【００１２】
【図１】本発明の閉傘状態の骨組構造を示す斜視図である。
【図２】本発明の開傘状態の骨組構造を示す側面図である。
【図３】本発明の使用時における組立を示す説明図である。
【符号の説明】
【００１３】      １  ………  中棒
２  ………  上ロクロ
２ｂ………  鍔部
３  ………  下ロクロ
３ａ………  案内溝
３ｂ………  鍔部
４  ………  親骨
４ａ………  基端部
４ｂ………  先端部
５  ………  受骨
５ａ………  基端部
５ｂ………  先端部
６  ………  枢結具
７  ………  防水シート
８  ………  排水口
９  ………  露先
１０  ………  ストッパー
１１  ………  支柱
【図１】
2007010303.tif 000003
【図２】
2007010303.tif 000004
【図３】
2007010303.tif 000005